(57)【要約】      （修正有）【課題】鉛筆、クレヨン等のような細長く且つ転がり易いような物に対して正しい位置に綺麗に押印できる押印補助具を提供する。【解決手段】箱状の本体５と、本体の前板７と背板９に形成されて互いに対向する一対の位置決め孔１７と、本体の天板１５に形成された印ガイド孔とを有し、鉛筆Ｐ等の棒状体に印章を押すのに使用する押印補助具であって、一対の位置決め孔にはテーパ部が設けられており、鉛筆が挿通されると水平姿勢で位置決めされる。その状態で、印章Ｒが印ガイド孔に差し込まれると、印章の彫刻面Ｒ１が、鉛筆の上面に正対するので、彫刻面が上面に圧接して綺麗に印字され、印字が欠けたり斜めになったりすることはない。【選択図】図１
0003205475.tif 000002
【実用新案登録請求の範囲】
【請求項１】
箱状の本体と、前記本体の前板と背板に形成されて互いに対向する一対の位置決め孔と、前記本体の天板に形成された印ガイド孔とを有し、鉛筆等の棒状体に印章を押すのに使用する押印補助具であって、
前記一対の位置決め孔に挿通支持され水平姿勢で位置決めされた前記棒状体の上面に、前記印ガイド孔にガイドされて差し込まれた印章の文字等の彫刻面が正対するよう、前記印ガイド孔の形成位置が設定されていることを特徴とする押印補助具。
【請求項２】
請求項１に記載した押印補助具において、
位置決め孔は下方にいくにしたがって幅寸法が小さくなるテーパ部を有し、前記テーパ部に棒状体が支持されることで、棒状体の種々の径寸法に対応可能になっていることを特徴とする押印補助具。
【請求項３】
請求項１または２に記載した押印補助具において、
印ガイド孔のガイド幅は複数の寸法で設定されていることを特徴とする押印補助具。
【請求項４】
請求項１から３のいずれかに記載した押印補助具において、
印ガイド孔の縁部にはガイド壁が立ち上がっていることを特徴とする押印補助具。
【請求項５】
請求項１から４のいずれかに記載した押印補助具において、
棒状体に印章を押すのに使用する押印補助具に側面を共用して別の押印補助具が連設されており、
前記別の押印補助具は、下面が開口した箱状の本体と、前記本体の前板と背板の下面側に形成されて互いに対向する一対の位置決め凹部と、前記本体の天板に形成された印ガイド孔とを有し、数え棒等の短冊状体に印章を押すのに使用することを特徴とする押印補助具。
【請求項６】
請求項１から５のいずれかに記載した押印補助具であって、
樹脂成型品であることを特徴とする押印補助具。
【考案の詳細な説明】
【技術分野】
【０００１】
本考案は押印補助具に係り、特に棒状体に対して押印する際に使用する押印補助具に関するものである。
【背景技術】
【０００２】
幼稚園、保育園に入園する際や小学校に入学する際には、多くの文房具に氏名等を記載することが求められるが、一つ一つ手書きするには面倒であることから、最近では、手書きに代えてゴム印を用いて印字することがよく行われている。
しかしながら、鉛筆、クレヨン等のような細長く転がり易いような物に対して押印しようとすると、印影が一部欠けたり、ズレたりすることが往々にしてあり、正しい位置に綺麗に押印することは案外難しい。
【先行技術文献】
【特許文献】
【０００３】
【特許文献１】特開２００４−９８６３７号公報
【考案の概要】
【考案が解決しようとする課題】
【０００４】
ところで、正しい位置に綺麗に押印できるように、種々の押印補助具が案出されている。特許文献１では、角型印鑑捺印Ｌ型ガイドが提案されており、このＬ型ガイドに角型の印鑑やゴム印の角部を合わせながら押印するようになっている。
而して、上記のＬ型ガイドは、角形のある程度大きさの有る印鑑等を、賞状、帳票類等に対して押印する際に使用することが想定されており、鉛筆、クレヨン等のような棒状の転がり易い物に対して押印するときには役に立たない。
【０００５】
本考案は上記従来の問題点に着目して為されたものであり、種々の棒状体に対して押印する際に使用することで、正しい位置に綺麗に押印することができる押印補助具の提供を、その目的とする。
【課題を解決するための手段】
【０００６】
本考案は上記課題を解決するためになされたものであり、請求項１の考案は、箱状の本体と、前記本体の前板と背板に形成されて互いに対向する一対の位置決め孔と、前記本体の天板に形成された印ガイド孔とを有し、鉛筆等の棒状体に印章を押すのに使用する押印補助具であって、前記一対の位置決め孔に挿通支持され水平姿勢で位置決めされた前記棒状体の上面に、前記印ガイド孔にガイドされて差し込まれた印章の文字等の彫刻面が正対するよう、前記印ガイド孔の形成位置が設定されていることを特徴とする押印補助具である。
【０００７】
請求項２の考案は、請求項１に記載した押印補助具において、位置決め孔は下方にいくにしたがって幅寸法が小さくなるテーパ部を有し、前記テーパ部に棒状体が支持されることで、棒状体の種々の径寸法に対応可能になっていることを特徴とする押印補助具である。
【０００８】
請求項３の考案は、請求項１または２に記載した押印補助具において、印ガイド孔のガイド幅は複数の寸法で設定されていることを特徴とする押印補助具である。
【０００９】
請求項４の考案は、請求項１から３のいずれかに記載した押印補助具において、印ガイド孔の縁部にはガイド壁が立ち上がっていることを特徴とする押印補助具である。
【００１０】
請求項５の考案は、請求項１から４のいずれかに記載した押印補助具において、棒状体に印章を押すのに使用する押印補助具に側面を共用して別の押印補助具が連設されており、前記別の押印補助具は、下面が開口した箱状の本体と、前記本体の前板と背板の下面側に形成されて互いに対向する一対の位置決め凹部と、前記本体の天板に形成された印ガイド孔とを有し、数え棒等の短冊状体に印章を押すのに使用することを特徴とする押印補助具である。
【００１１】
請求項６の考案は、請求項１から５のいずれかに記載した押印補助具であって、樹脂成型品であることを特徴とする押印補助具である。
【考案の効果】
【００１２】
本考案の押印補助具を、鉛筆、クレヨン等のような棒状の転がり易い物に対して押印する際に使用すれば、正しい位置に綺麗に押印することができる。
【図面の簡単な説明】
【００１３】
【図１】本考案の実施の形態に係る押印補助具を用いて太径の鉛筆にゴム印を押す状態を示す斜視図である。
【図２】図１の押印補助具の正面図である。
【図３】図１の押印補助具の上面図である。
【図４】図３のＡ−Ａ断面図である。
【図５】図１の押印補助具を用いて細径の鉛筆にゴム印を押す状態を示す斜視図である。
【図６】図５の押印補助具の正面図である。
【図７】図１の押印補助具を用いて数え棒にゴム印を押す状態を示す斜視図である。
【図８】図７の部分拡大正面図である。
【考案を実施するための形態】
【００１４】
本考案の実施の形態に係る押印補助具１を図面にしたがって説明する。
この押印補助具１は、図１に示すように、２つの押印補助具３と押印補助具２３が一体化されたものであり、樹脂成型品で構成されている。
押印補助具１は、文房具への氏名印（ゴム印）の押印に利用するものとなっており、押印補助具３は、鉛筆Ｐ等の細長く転がり易い棒状体に押印するときに使用し、押印補助具２３は、数え棒Ｃ等の薄くて扁平な短冊状体に押印するのに使用することが想定されている。
【００１５】
先ず、押印補助具３側の構成について説明する。
図１、図２で符号５は箱状の本体を示しており、この本体５は下面が開口し、前板７、背板９、左右の側板１１、１３及び天板１５で構成されている。本体５は前後方向に長くなっており、前板７と背板９は正方形よりやや縦長の形状になっている。天板１５は左右方向の端から中心に向かって上方に膨らむようにやや湾曲している。
【００１６】
前板７と背板９には、それぞれ、板厚方向を貫通して位置決め孔１７、１７が形成されている。この位置決め孔１７は、前板７側も背板９側も、同一形状、同一サイズ、同一位置関係で形成されており、前後方向で互いに対向している。
位置決め孔１７は左右対称に構成されている。図２、図４に示すように、その孔縁は、上側では湾曲して略半円弧状になっており、その円弧縁１７ａの左右端からはそれぞれ直線状に下方に向かって延びている。この直線状縁は互いに近づく方向に傾斜しており、板の下端近くまで延びている。この一対の直線状縁（板厚部）がテーパ部１７ｂ、１７ｂとして利用されている。一対のテーパ部１７ｂとテーパ部１７ｂとの間の幅寸法は、下方にいくにしたがって小さくなっている。テーパ部１７ｂとテーパ部１７ｂのそれぞれの下端は水平な下縁１７ｃの左右端にそれぞれ連なっている。
【００１７】
鉛筆、クレヨン等は種々のメーカーのものが市販されており、微妙に太さ寸法も異なるが、市販品であれば、いずれかの高さ位置で左右両側のテーパ部１７ｂ、１７ｂの板厚部に接触して持ち上げ支持されるようになっている。
【００１８】
図１、図３に示すように、天板１５には、板厚方向を貫通して印ガイド孔１９が形成されている。この印ガイド孔１９は細長い矩形状になっており、左右対称で、前後方向に長く延びている。この印ガイド孔１９は前部と後部では左右方向の幅寸法が異なっており、前部１９ａの幅寸法は後部１９ｂの幅寸法より小さくなっている。前部１９ａ側の前後方向の長さ寸法は、全体の約１／３程度になっている。前部１９ａと後部１９ｂとの境界には直角の段差が形成されている。
【００１９】
印ガイド孔１９の孔縁には、その全体にわたって、ガイド壁２１が垂直に立ち上がっている。このガイド壁２１は、図４に示すように、天板１５の外方だけでなく、内方にも立ち上がっており、外方側のガイド壁２１ａは内方側のガイド壁２１ｂよりも高くなっている。また内方側のガイド壁２１ｂの下端は、上記した位置決め孔１７よりも十分に高い位置にあり、位置決め孔１７への挿通の邪魔になることは無い。
印ガイド孔１９の孔縁自体もガイド面になっているが、印ガイド孔１９の孔縁に沿って垂直に外方、すなわち上方に立ち上がったガイド壁２１ａと、内方、すなわち下方に垂下したガイド壁２１ｂとが一体化されて大きなガイド面２１ｃが形成されている。
【００２０】
上記構成の押印補助具３に、図１に示すように、別の押印補助具２３が連設されている。
この押印補助具２３も、箱状の本体２５を有している。この本体２５は下面が開口しており、左の側面が側板１３の一部で構成されている。その他は、前板２７、背板２９、右の側板３１及び天板３３で構成されており、前後方向に長くなっており、前板２７と背板２９は正方形よりやや横長の形状になっている。すなわち、押印補助具２３の本体２５は押印補助具３側の本体５と同じような全体形状になっているが、サイズは大幅に小さくなっており、前後方向の長さ寸法および高さ寸法とも大凡１／３程度になっている。
本体２５の背板２９が本体５の背板９と面一に揃えられ、下端どうしが揃えられて、本体５の右側後方に本体２５が連設された状態になっている。
【００２１】
前板２７と背板２９には、それぞれ、板厚方向を貫通して位置決め凹部３５、３５が形成されている。この位置決め凹部３５は、前板２７側も背板２９側も、同一形状、同一サイズ、同一位置関係で形成されており、前後方向で互いに対向している。位置決め凹部３５は左右対称に構成されている。
図２、図４に示すように、位置決め凹部３５は下縁を開口側として形成されている。この位置決め凹部３５は上方に向かって凹んでおり、横長の長方形になっている。従って、その凹縁は、一対の垂直縁３５ａとその上端どうしを繋ぐ水平縁３５ｂによって構成されている。
【００２２】
図３に示すように、天板３３には、板厚方向を貫通して大きな印ガイド孔３７が形成されている。この印ガイド孔３７は細長い矩形状になっており、左右対称で、前後方向に長く延びている。天板３３に対して印ガイド孔３７が大きく形成されているので、天板３３は印ガイド孔３７の縁部のように見えている。
【００２３】
押印補助具１は、上記したように構成されており、押印補助具３と押印補助具２３について各別に使用方法を以下で説明する。
押印補助具３の本体５は、図１、図２に示すように、テーブル（図示省略）に載せられており、比較的太い、すなわち大径の六角形タイプの鉛筆Ｐ（太）に氏名印（ゴム印）Ｒを押す状態を示している。
鉛筆Ｐ（太）を、前後方向いずれかの位置決め孔１７から差し込んで他方の位置決め孔１７まで貫通させており、鉛筆Ｐ（太）の軸方向両端部は一対の位置決め孔１７、１７から突出している。位置決め孔１７には大きな円弧縁１７ａが形成されているので、鉛筆Ｐ（太）の軸方向先端をその円弧縁１７ａ側から差込めば、容易に通すことができる。
【００２４】
鉛筆Ｐ（太）は、一対の位置決め孔１７、１７のそれぞれの一対のテーパ部１７ｂ、１７ｂに載せられて水平姿勢で両持ち支持されている。鉛筆Ｐ（太）の周側六面のうちの一面が水平上面Ｐｕになった状態で、位置決めされている。なお、上面が傾いた状態で差し込まれても、最終的にはテーパ部１７ｂ、１７ｂの間に均等に架け渡されて、水平上面Ｐｕになる。
氏名印（ゴム印）Ｒは、典型的なものであり、四角形の平板の板厚面の一つがゴム製の彫刻面Ｒ１になっており、板面は彫刻面Ｒ１側を短辺としてやや縦長になっている。彫刻面Ｒ１には氏名を構成する文字が一列に並んでいる。
【００２５】
この氏名印Ｒが、印ガイド孔１９から文字等の彫刻面Ｒ１を下方に向けて差し込まれている。なお、氏名印Ｒは、比較的板厚寸法が大きくなっているので、太幅の後部１９ｂから差し込まれている。氏名印Ｒの両側の板面には僅かなクリアランスをあけてガイド面２１ｃ、２１ｃが相対してガイドされているので、不用意に氏名印Ｒを掴んだ手が動いても、氏名印Ｒが傾くことはない。
位置決め支持された鉛筆Ｐ（太）の水平上面Ｐｕに、氏名印Ｒの彫刻面Ｒ１が正対しており、氏名印Ｒを水平上面Ｐｕに押し付ければ、その彫刻面Ｒ１が水平上面Ｐｕに圧接して綺麗に印字され、印字が欠けたり斜めになったりすることはない。
【００２６】
図５、図６は、六角形の比較的細い、すなわち小径の鉛筆Ｐ（細）に氏名印（ゴム印）Ｓを押す状態を示している。
鉛筆Ｐ（細）も、鉛筆Ｐ（太）と同様に位置決め孔１７に差し込まれて、鉛筆Ｐ（細）の周側六面のうちの一面が水平上面Ｐｕになった状態で、位置決め支持されている。鉛筆Ｐ（細）は鉛筆Ｐ（太）より小径なので、その分だけ水平上面Ｐｕの高さ位置が低くなっている。
【００２７】
鉛筆Ｐ（細）に対応して、使用する氏名印（ゴム印）Ｓは、氏名印（ゴム印）Ｒより、印字が小さくなっており、その分だけ彫刻面Ｓ１が貼着される板厚寸法も小さくなっている。
この氏名印Ｓが、印ガイド孔１９から文字等の彫刻面Ｓ１を下方に向けて差し込まれている。なお、氏名印Ｓは、比較的板厚寸法が小さいので、細幅の前部１９ａから差し込まれている。なお、前部１９ａの長手寸法は比較的短くなっており、氏名印Ｓによっては前部１９ａを超えて後部１９ｂまではみ出す場合もあるが、前部１９ａ側に寄せられてガイドされているので、不用意に氏名印Ｓを掴んだ手が動いても、氏名印Ｓが傾くことはない。従って、前部１９ａ側を必要以上に長くとる必要がなく、押印補助具３全体をコンパクト化できている。
この場合にも、位置決め支持された鉛筆Ｐ（細）の水平上面Ｐｕに、氏名印Ｓの彫刻面Ｓ１が正対しており、正確な位置に綺麗に印字され、印字が欠けたり斜めになったりすることはない。
【００２８】
なお、鉛筆には、断面円形のものもあり、このようなものも太径であれば、印字面となる上面が緩やかな湾曲面になる。一方、ゴム印は彫刻面側がゴム製で弾性になっているので、ある程度の湾曲面であれば、追従して弾性的に凹むので圧接状態を保持できる。従って、上記のような鉛筆に対しても押印可能となっている。また、幼児向けに正しい鉛筆の持ち方を覚えさせるように、三角形タイプのものもあるが、この三角形タイプでも、位置決め支持すれば、一つが水平上面になるので、同様に、正確な位置に綺麗に印字され、印字が欠けたり斜めになったりすることはない。
【００２９】
押印補助具２３は、図７、図８に示すように、短冊状の、すなわち扁平な数え棒Ｃに氏名印（ゴム印）Ｒを押す状態を示している。この氏名印Ｒは、鉛筆Ｐ（太）への押印で使用したものである。
押印補助具２３を上下ひっくり返して、位置決め凹部３５、３５に数え棒Ｃを嵌め込み、再度ひっくり返して、数え棒Ｃの板面側がテーブル（図示省略）に当接した状態になっている。
この状態では、数え棒Ｃの幅方向両側に、位置決め凹部３５の縁が相対して位置決めされており、表面が水平上面Ｃｕになっている。
【００３０】
氏名印Ｒが、印ガイド孔３７から下方に向けて差し込まれている。位置決め支持された数え棒Ｃの水平上面Ｃｕに、氏名印Ｒの彫刻面Ｒ１が正対しており、氏名印Ｒを水平上面Ｃｕに押し付ければ、その彫刻面Ｒ１が水平上面Ｃｕに圧接して綺麗に印字され、印字が欠けたり斜めになったりすることはない。
なお、押印補助具３の側板１３と押印補助具２３の前板２７にゴム印を当接させガイドさせて押印する使用法もある。この場合も、正確な位置に綺麗に印字され、印字が欠けたり斜めになったりすることはない。
【００３１】
以上、本考案の実施の形態について詳述してきたが、具体的構成は、この実施の形態に限られるものではなく、本考案の要旨を逸脱しない範囲における設計の変更などがあっても考案に含まれる。
例えば、位置決め孔や印ガイド孔のサイズは、押印対象の印のサイズに合わせて適宜設計すればよく、上記の実施の形態では、押印対象である鉛筆や数え棒のサイズを考慮して設計されている。
また、印ガイド孔は、そのガイド幅が複数の寸法で設定されているものに限らず、ガイド幅が一つ、すなわちガイド幅が全体に渡って同じ寸法となる構成としてもよい。
【符号の説明】
【００３２】
１…押印補助具
３…押印補助具（鉛筆用）
５…箱状の本体          ７…前板            ９…背板          １１…側板
１３…側板              １５…天板          １７…位置決め孔    １７ａ…円弧縁
１７ｂ…テーパ部        １７ｃ…下縁        １９…印ガイド孔    １９ａ…前部
１９ｂ…後部            ２１…ガイド壁      ２１ａ…外方側ガイド壁
２１ｂ…内方側ガイド壁  ２１ｃ…ガイド面
２３…押印補助具（数え棒用）
２５…箱状の本体        ２７…前板          ２９…背板          ３１…側板
３３…天板              ３５…位置決め凹部  ３５ａ…垂直縁      ３５ｂ…水平縁
３７…印ガイド孔
Ｐ（太）、Ｐ（細）…六角形鉛筆            Ｐｕ…（鉛筆の）水平上面
Ｒ、Ｓ…氏名印（ゴム印）                  Ｒ１、Ｓ１…（氏名印の）彫刻面
【図１】
0003205475.tif 000003
【図２】
0003205475.tif 000004
【図３】
0003205475.tif 000005
【図４】
0003205475.tif 000006
【図５】
0003205475.tif 000007
【図６】
0003205475.tif 000008
【図７】
0003205475.tif 000009
【図８】
0003205475.tif 000010